(57)【要約】      （修正有）【課題】携帯型電子装置に表示されたユーザインターフェースをネットワーク通信専用インターフェースに変更する。【解決手段】スクリーンを含むと共に複数のアプリケーションプログラムがインストールされている携帯型電子装置において、設定変更指令を受信するステップＳ１と、設定変更指令に基づいて、内蔵ユーザインターフェースをネットワーク通信専用インターフェースに変更するステップＳ２とにより、複数のアプリケーションプログラムに対応するアイコンを変更した内蔵ユーザインターフェースを介してスクリーンに表示する。【選択図】図５
2015185156.tif 000002
【特許請求の範囲】
【請求項１】
スクリーンを含むと共に複数のアプリケーションプログラムがインストールされている携帯型電子装置に適用され、前記スクリーンは内蔵ユーザインターフェースを表示することができ、前記複数のアプリケーションプログラムに対応するアイコン（Ｉｃｏｎ）が前記内蔵ユーザインターフェースを介して前記スクリーンに表示される、ユーザインターフェースをネットワーク通信専用インターフェースに変更する方法であって、
設定変更指令を受信するステップと、
前記設定変更指令に基づいて、前記内蔵ユーザインターフェースをネットワーク通信専用インターフェースに変更するステップと、
を含み、
前記複数のアプリケーションプログラムにおける少なくとも１つのアプリケーションプログラムに対応するアイコン（Ｉｃｏｎ）が前記ネットワーク通信専用インターフェースを介して前記スクリーンに表示されることができないことにより、前記少なくとも１つのアプリケーションプログラムがユーザに使用されることを制限することを特徴とするユーザインターフェースをネットワーク通信専用インターフェースに変更する方法。
【請求項２】
前記携帯型電子装置はホームボタン（ｈｏｍｅ  ｂｕｔｔｏｎ）を含み、
前記内蔵ユーザインターフェースが前記ネットワーク通信専用インターフェースに変更されると、前記ホームボタンが前記ユーザにクリックされた場合、前記ユーザがクリックすることで電話をかけることができるように複数の連絡先ボタンが含まれた、前記ネットワーク通信専用インターフェースにおける連絡先リスト操作画面が前記スクリーンに表示される請求項１に記載のユーザインターフェースをネットワーク通信専用インターフェースに変更する方法。
【請求項３】
前記複数のアプリケーションプログラムは、設定アプリケーションプログラム、ブラウザアプリケーションプログラム及びソーシャルネットワークアプリケーションプログラムを含み、
前記ブラウザアプリケーションプログラム及び前記ソーシャルネットワークアプリケーションプログラムに対応するアイコンは、前記ネットワーク通信専用インターフェースを介して前記スクリーンに表示されることがない請求項１に記載のユーザインターフェースをネットワーク通信専用インターフェースに変更する方法。
【請求項４】
前記設定アプリケーションプログラムに対応するアイコンは、前記ネットワーク通信専用インターフェースを介して前記スクリーンに表示される請求項３に記載のユーザインターフェースをネットワーク通信専用インターフェースに変更する方法。
【請求項５】
前記携帯型電子装置には、ネットワーク通信用オペレーションシステムが搭載されている請求項１に記載のユーザインターフェースをネットワーク通信専用インターフェースに変更する方法。
【請求項６】
携帯型電子装置がロードして実行することで、請求項１乃至５のいずれかに記載のユーザインターフェースをネットワーク通信専用インターフェースに変更する方法が完了することを特徴とするユーザインターフェースをネットワーク通信専用インターフェースに変更する方法を実行するコンピュータプログラム製品。
【請求項７】
複数のアプリケーションプログラムがインストールされている携帯型電子装置であって、
本体と、
前記本体と結合されており、内蔵ユーザインターフェースを表示することができるスクリーンであって、前記複数のアプリケーションプログラムに対応するアイコン（Ｉｃｏｎ）が前記内蔵ユーザインターフェースを介して表示されることができるスクリーンと、
前記本体内に設けられており、ユーザインターフェースをネットワーク通信専用インターフェースに変更する方法を実行するコンピュータプログラム製品を格納するのに用いられるメモリと、
前記本体内に設けられており、前記スクリーン及び前記メモリと電気的に接続され、前記コンピュータプログラム製品を実行するのに用いられるプロセッサであって、設定変更指令を受信することと、前記設定変更指令に基づいて、前記内蔵ユーザインターフェースをネットワーク通信専用インターフェースに変更し、前記複数のアプリケーションプログラムにおける少なくとも１つのアプリケーションプログラムに対応するアイコン（Ｉｃｏｎ）が前記ネットワーク通信専用インターフェースを介して前記スクリーンに表示されることができないことにより、前記少なくとも１つのアプリケーションプログラムがユーザに使用されることを制限することとを達成するプロセッサと、
を含むことを特徴とする携帯型電子装置。
【請求項８】
ホームボタン（ｈｏｍｅ  ｂｕｔｔｏｎ）を更に含み、前記内蔵ユーザインターフェースが前記ネットワーク通信専用インターフェースに変更されると、前記ホームボタンが前記ユーザにクリックされた場合、前記ユーザがクリックすることで電話をかけることができるように複数の連絡先ボタンが含まれた、前記ネットワーク通信専用インターフェースにおける連絡先リスト操作画面が前記スクリーンに表示される請求項７に記載の携帯型電子装置。
【請求項９】
前記複数のアプリケーションプログラムは、設定アプリケーションプログラム、ブラウザアプリケーションプログラム及びソーシャルネットワークアプリケーションプログラムを含み、前記ブラウザアプリケーションプログラム及び前記ソーシャルネットワークアプリケーションプログラムに対応するアイコンは、前記ネットワーク通信専用インターフェースを介して前記スクリーンに表示されることがない請求項７に記載の携帯型電子装置。
【請求項１０】
前記設定アプリケーションプログラムに対応するアイコンは、前記ネットワーク通信専用インターフェースを介して前記スクリーンに表示される請求項９に記載の携帯型電子装置。
【請求項１１】
ネットワーク通信用オペレーションシステムが搭載されている請求項７に記載の携帯型電子装置。
【発明の詳細な説明】
【技術分野】
【０００１】
本発明は、ユーザインターフェースを変更する方法に関し、特に携帯型電子装置におけるもともとの内蔵ユーザインターフェースをネットワーク通信専用インターフェースに変更する方法に関する。
【背景技術】
【０００２】
通信技術の不断の進歩に伴い、現在の遠距離通信は、従来の電話システムを介して行うことができる以外に、ネットワークを介して行うこともできる。また、ネットワークの帯域幅が漸次拡大されるに伴い、ネットワーク通信は、音声方式で行えるのみならず、ビデオ通話を行うことも可能である。これにより、通信の利便性が大きく向上し、多くのネットワーク通信ソフトウェアも漸次社交上、ビジネス上必要不可欠な通信ツールとなってきている。通信ソフトウェアＳｋｙｐｅ（登録商標）もそのうちの１つである。
【０００３】
現在、通信ソフトウェアＳｋｙｐｅは、ユーザが自分で携帯電話又はコンピュータにダウンロードした後インストールをして実行する。しかしながら、現在、ユーザがコンピュータを起動してＳｋｙｐｅ通信を実行しようとする場合は、まずコンピュータ内の通信ソフトウェアＳｋｙｐｅを起動しなければ、ネットワーク電話をかけることやその他の動作を始めることはできない。この点は、Ｓｋｙｐｅ通信機能を恒常的に使用する必要のあるユーザにとって不便であった。
【発明の概要】
【発明が解決しようとする課題】
【０００４】
本発明は、携帯型電子装置に表示されたユーザインターフェースを、Ｓｋｙｐｅの如きネットワーク専用インターフェースに変更する方法を提供することを目的とする。
【０００５】
本発明はさらに、上述した方法を実行するのに用いられるコンピュータプログラム製品及び携帯型電子装置を提供することを目的とする。
【課題を解決するための手段】
【０００６】
上述した目的を達成するために、本発明に係るユーザインターフェースを、ネットワーク専用インターフェース（以下、必要に応じて、Ｓｋｙｐｅ専用インターフェース）に変更する方法は、スクリーンを含むと共に複数のアプリケーションプログラムがインストールされている携帯型電子装置に適用される。スクリーンは、内蔵ユーザインターフェースを表示することができる。複数のアプリケーションプログラムに対応するアイコン（Ｉｃｏｎ）は、内蔵ユーザインターフェースを介してスクリーンに表示されることができる。ユーザインターフェースをＳｋｙｐｅ専用インターフェースに変更する方法は、設定変更指令を受信するステップと、設定変更指令に基づいて、内蔵ユーザインターフェースをＳｋｙｐｅ専用インターフェースに変更するステップとを含み、複数のアプリケーションプログラムにおける少なくとも１つのアプリケーションプログラムに対応するアイコンはＳｋｙｐｅ専用インターフェースを介してスクリーンに表示することができず、即ちもともと内蔵ユーザインターフェースを介してスクリーンに表示されることができた複数のアイコンのうち少なくとも１つのアイコンは、Ｓｋｙｐｅ専用インターフェースを介してスクリーンに表示されることができないため、少なくとも１つの隠されたアイコンに対応するアプリケーションプログラムがユーザに使用されることを制限して、携帯型電子装置がＳｋｙｐｅ専用機となるようにすることができる。
【０００７】
本発明の１つの実施例によれば、携帯型電子装置はホームボタン（ｈｏｍｅ  ｂｕｔｔｏｎ）を含み、内蔵ユーザインターフェースがＳｋｙｐｅ専用インターフェースに変更されると、ホームボタンがユーザにクリックされた場合、Ｓｋｙｐｅ専用インターフェースの連絡先リスト操作画面がスクリーンに表示される。連絡先リスト操作画面には、ユーザがクリックすることで電話をかけることができるように複数の連絡先ボタンが含まれる。
【０００８】
本発明の１つの実施例によれば、複数のアプリケーションプログラムは、設定アプリケーションプログラム、ブラウザアプリケーションプログラム及びソーシャルネットワークアプリケーションプログラムを含む。このうちブラウザアプリケーションプログラム及びソーシャルネットワークアプリケーションプログラムに対応するアイコンは、Ｓｋｙｐｅ専用インターフェースを介してスクリーンに表示されることはない。
【０００９】
本発明の１つの実施例によれば、設定アプリケーションプログラムに対応するアイコンは、Ｓｋｙｐｅ専用インターフェースを介してスクリーンに表示される。
【００１０】
本発明の１つの実施例によれば、携帯型電子装置には、ネットワーク通信用オペレーションシステム（以下、必要に応じて、Ａｎｄｒｏｉｄ（登録商標）オペレーションシステム又はＷｉｎｄｏｗｓ（登録商標）オペレーションシステム）が搭載されている。
【００１１】
本発明はさらに、ユーザインターフェースをＳｋｙｐｅ専用インターフェースに変更する方法を実行するコンピュータプログラム製品及び携帯型電子装置を提供する。当該携帯型電子装置は、本体、本体と結合されたスクリーン、本体内に設けられたメモリ、及び本体内に設けられており、スクリーン及びメモリと電気的に接続されるプロセッサを含む。コンピュータプログラム製品は、メモリに格納される。携帯型電子装置が当該コンピュータプログラム製品をロードして実行することで、本発明に係る上述したユーザインターフェースをＳｋｙｐｅ専用インターフェースに変更する方法が完了する。
【図面の簡単な説明】
【００１２】
【図１】本発明に係る携帯型電子装置の構成を示した図である。
【図２】携帯型電子装置のスクリーンに内蔵ユーザインターフェースが表示された状態を示した図である。
【図３】携帯型電子装置のスクリーンにＳｋｙｐｅ専用インターフェースの連絡先リスト操作画面が表示された状態を示した図である。
【図４】ユーザがホームボタンをクリックすることを示した図である。
【図５】本発明に係るユーザインターフェースをＳｋｙｐｅ専用インターフェースに変更する方法のステップを示したフローチャートである。
【発明を実施するための形態】
【００１３】
本発明の技術内容をより深く理解することができるように、以下、好ましい具体的な実施例を挙げて本発明を説明する。
【００１４】
以下、図１乃至図４を併用して本発明に係る携帯型電子装置の構成を説明する。
【００１５】
図１に示すように、本発明の１つの実施例において、本発明に係るユーザインターフェースをＳｋｙｐｅ専用インターフェースに変更する方法を実行するコンピュータプログラム製品３１は、携帯型電子装置１に適用される。携帯型電子装置１は、本体１０、スクリーン２０、メモリ３０、プロセッサ４０、ネットワーク通信装置５０、ホームボタン（ｈｏｍｅ  ｂｕｔｔｏｎ）６０及び画像取り込み装置７０を含む。また携帯型電子装置１には、Ａｎｄｒｏｉｄオペレーションシステム又はＷｉｎｄｏｗｓオペレーションシステム、及び複数のアプリケーションプログラムがインストールされている（図示せず）。本発明の具体的な実施例においては、携帯型電子装置１はスマートフォンであるが、本発明はこれに限定されず、携帯型電子装置１は、タブレットＰＣ又は演算処理機能を備えたその他類似の携帯型電子製品であってもよい。
【００１６】
スクリーン２０は、本体１０と結合される。携帯型電子装置１が本発明に係るユーザインターフェースを変更する方法を実行していない場合、スクリーン２０は、例えば携帯電話メーカによるユーザインターフェース又はＡｎｄｒｏｉｄオペレーションシステムのネイティブインターフェースといった内蔵ユーザインターフェースＵＩ１を表示することができる。図２に示すように、図２は携帯型電子装置１のスクリーン２０に内蔵ユーザインターフェースＵＩ１が表示された状態を示す図である。携帯型電子装置１のスクリーン２０に内蔵ユーザインターフェースＵＩ１が表示されている場合、携帯型電子装置１内にインストールされた複数のアプリケーションプログラムに対応するアイコンＩ１〜Ｉ３は、内蔵ユーザインターフェースＵＩ１を介してスクリーン２０に表示されることができる。
【００１７】
図１に示すように、メモリ３０は、本体１０内に設けられており、ユーザインターフェースを変更する方法を実行するコンピュータプログラム製品３１を格納するのに用いられる。
【００１８】
プロセッサ４０は、本体１０内に設けられており、スクリーン２０及びメモリ３０と電気的に接続されると共に、コンピュータプログラム製品３１を実行するのに用いられる。携帯型電子装置１がコンピュータプログラム製品３１をロードして実行することで、本発明に係るユーザインターフェースをＳｋｙｐｅ専用インターフェースに変更する方法が完了する。携帯型電子装置１がユーザインターフェースをＳｋｙｐｅ専用インターフェースに変更する方法を実行し終わった後、もともとスクリーン２０上に表示されていた内蔵ユーザインターフェースＵＩ１が、例えば図３又は図４に示すＳｋｙｐｅ専用インターフェースＵＩ２に変更される。この時、複数のアプリケーションプログラムにおける一部のアプリケーションプログラムに対応するアイコンＩ１〜Ｉ３を更にＳｋｙｐｅ専用インターフェースＵＩ２を介してスクリーン２０に表示することはできない。これにより、当該一部のアプリケーションプログラムがユーザに使用されることを制限する。本発明の１つの実施例において、携帯型電子装置１にインストールされたアプリケーションプログラムには、設定アプリケーションプログラム、ブラウザアプリケーションプログラム及びソーシャルネットワークアプリケーションプログラムが含まれる。このうちブラウザアプリケーションプログラム及びソーシャルネットワークアプリケーションプログラムに対応するアイコンは、Ｓｋｙｐｅ専用インターフェースＵＩ２を介してスクリーン２０に表示されることはない。一方、設定アプリケーションプログラムに対応するアイコンは、インターフェース変更後も引き続き表示される。但し、本発明はそれに限定されない。
【００１９】
ネットワーク通信装置５０は、携帯型電子装置１がネットワーク通信を行うことができるように、本体１０内に設けられており、ネットワークに接続するのに用いられる。
【００２０】
本発明の１つの実施例において、ホームボタン６０は実体ボタンであり、本体１０と結合される。但し、本発明に係る携帯型電子装置１のホームボタン６０は、実体ボタンに限定されず、仮想ボタンである場合は、ユーザがクリックできるようにスクリーン２０を介して表示することが可能である（この時スクリーン２０はタッチスクリーンでなければならない）。図４に示すように、本発明の１つの実施例において、携帯型電子装置１のスクリーン２０にＳｋｙｐｅ専用インターフェースＵＩ２が表示されている場合、ユーザがホームボタン６０をクリックすると、Ｓｋｙｐｅ専用インターフェースＵＩ２の連絡先リスト操作画面（例えば図３に示す）が直ちにスクリーン２０上に表示される。即ち、ユーザがＳｋｙｐｅ専用インターフェースＵＩ２におけるどの操作画面を実行していようと（例えば図４では文字チャット操作インターフェースを示す）、ユーザがホームボタン６０をクリックしさえすれば、連絡先リスト操作画面が直ちにスクリーン２０上に表示される。その連絡先リスト操作画面には、ユーザがクリックすることで電話をかけることができるように複数の連絡先ボタンＣＰ１〜ＣＰ３が含まれる。
【００２１】
画像取り込み装置７０は、例えばカメラであり、ネットワーク通信装置５０に電気的に接続される。画像取り込み装置７０は、携帯型電子装置１がビデオ通話機能を実行できるように、例えばユーザの顔画像といった画像データを取り込むのに用いられる。
【００２２】
以下、図５に加え、図１乃至図４も併用して、本発明に係るユーザインターフェースをＳｋｙｐｅ専用インターフェースに変更する方法の詳細なステップを説明する。図５は、本発明に係るユーザインターフェースをＳｋｙｐｅ専用インターフェースに変更する方法のステップを示したフローチャートである。注意すべきことは、以下において、前述した携帯型電子装置１を例として本発明に係るユーザインターフェースをＳｋｙｐｅ専用インターフェースに変更する方法を説明するが、但し、本発明に係る方法は前述した携帯型電子装置１に使用されることに限定されないことである。
【００２３】
ステップＳ１において、設定変更指令を受信する。
【００２４】
本発明の具体的な実現において、ユーザが例えばスマートフォンである携帯型電子装置１を利用できるように、本発明に係るユーザインターフェースをＳｋｙｐｅ専用インターフェースに変更する方法を実行するコンピュータプログラム製品３１が携帯型電子装置１にダウンロードされると、コンピュータプログラム製品３１に対応するアイコンが内蔵ユーザインターフェースＵＩ１を介してスクリーン２０上に表示される（図示せず）。ユーザが当該アイコンをクリックすると、ユーザにインターフェース変更を確かに実行するか否かを問うように、スクリーン２０上にはプロンプトボタンが表示される（図示せず）。この時、ユーザが実行確定のボタンをクリックすると、プロセッサ４０がユーザが当該ボタンをクリックしたことによって生成された設定変更指令を受信する。
【００２５】
ステップＳ２において、設定変更指令に基づいて、内蔵ユーザインターフェースをＳｋｙｐｅ専用インターフェースに変更する。
【００２６】
プロセッサ４０は設定変更指令を受信すると、もともとの内蔵ユーザインターフェースＵＩ１をＳｋｙｐｅ専用インターフェースＵＩ２に変更する（図３及び図４に示す）。もともと内蔵ユーザインターフェースＵＩ１を介してスクリーン２０上に表示することができた一部のアプリケーションプログラムに対応するアイコンＩ１〜Ｉ３、例えばブラウザアプリケーションプログラム及びソーシャルネットワークアプリケーションプログラムに対応するアイコンは、スクリーン２０にＳｋｙｐｅ専用インターフェースＵＩ２が表示された時点で表示されなくなる。換言すれば、インターフェース変更後、ユーザは一部のアプリケーションプログラムに対応するアイコンＩ１〜Ｉ３を見ることができなくなり、これによりユーザがそれらアプリケーションプログラムを使用することを制限し、携帯型電子装置１の資源を全てＳｋｙｐｅ通信に集中させる。但し、変更後でも、例えば設定アプリケーションプログラムといった一部のアプリケーションプログラムに対応するアイコンＩ１〜Ｉ３は、依然としてＳｋｙｐｅ専用インターフェースＵＩ２を介してスクリーン２０に表示されることができ、ユーザは依然として設定アプリケーションプログラムの操作によって、例えば音量の大きさ、バックライトの輝度といった設定を調整することができる。
【００２７】
このように、ユーザが携帯型電子装置１を用いて本発明に係るユーザインターフェースをＳｋｙｐｅ専用インターフェースに変更する方法を実行するコンピュータプログラム製品３１をダウンロードして実行すると、携帯型電子装置１のスクリーン２０にもともと表示されていた内蔵ユーザインターフェースＵＩ１がＳｋｙｐｅ専用インターフェースＵＩ２に変更され、携帯型電子装置１をＳｋｙｐｅ通信専用の携帯型電子装置１に変えることができ、ユーザが携帯型電子装置１を用いてＳｋｙｐｅ通信を行う場合に一層便利となる。
【００２８】
このように、本発明は、目的、手段及び効果のいずれにおいても、従来技術とは大きく異なる特徴を有する。注意すべきことは、上述した実施例は説明の便宜上挙げたものに過ぎず、本発明が主張する権利範囲は、本発明の特許請求の範囲に規定され、上述した実施例によって制限されるものではない。
【符号の説明】
【００２９】
１  携帯型電子装置
１０  本体
２０  スクリーン
３０  メモリ
３１  コンピュータプログラム製品
４０  プロセッサ
５０  ネットワーク通信装置
６０  ホームボタン
７０  画像取り込み装置
ＵＩ１  内蔵ユーザインターフェース
Ｉ１〜Ｉ３  アイコン
ＵＩ２  Ｓｋｙｐｅ  専用インターフェース
ＣＰ１〜ＣＰ３  連絡先ボタン
【図１】
2015185156.tif 000003
【図２】
2015185156.tif 000004
【図３】
2015185156.tif 000005
【図４】
2015185156.tif 000006
【図５】
2015185156.tif 000007